(57)【要約】【課題】通常時は演出用として利用され、かつ緊急時は非常用として利用される着脱可能な照明装置を備え、当該照明装置を非常時の設備構成部品として機能させる。【解決手段】通常は固定電飾装置５１と共に電飾部材として取り付けられている着脱電飾装置５２を、停電発生の際に、商用電源８２からの電力が遮断された後でも蓄電部５４からの電力で電源部１３７の点灯を継続させ、かつ、パチンコ機１０から突出させることで、遊技者等の注意を引くことで、遊技者等が避難するときに、着脱電飾装置５２をパチンコ機１０から取り外し、所謂懐中電灯のように携帯することができ、避難経路の照明として利用することができる。【選択図】図５
2014124486.tif 000002
【特許請求の範囲】
【請求項１】
遊技球の流動状態に応じて遊技が進行する遊技盤と、
前記遊技盤が装着可能であり、少なくとも装着された前記遊技盤と対峙する面に透明部材が設けられ前記遊技盤上の遊技球流動空間を隔離する枠体と、
前記枠体に着脱可能に取り付けられ、外部電源である主電源から電力供給が遮断されたときに電力供給源となる副電源、及び前記主電源又は前記副電源から選択的に電力供給を受けて点灯制御される光源部を備えた着脱電飾装置と、
を有する遊技機。
【請求項２】
前記枠体に固定的に取り付けられ、前記主電源からの電力供給によって、少なくとも前記遊技盤上での遊技球の流動状態に応じて発生する特定の遊技状態のときに点灯制御される固定電飾装置をさらに有し、
前記主電源からの電力供給中は、前記着脱電飾装置が、前記固定電飾装置と連動して点灯制御されることを特徴とする請求項１記載の遊技機。
【請求項３】
前記着脱電飾装置を収容する収容部をさらに有し、
前記収容部が、
当該収容部に収容された着脱装飾装置を付勢力で押し出すための付勢手段と、
前記付勢手段の付勢力に抗して前記着脱装飾装置を前記収容部に収容した状態で保持する保持手段と、
前記主電源からの電力供給が遮断されたときに、前記保持手段による保持状態を解除する解除手段と、
を備えることを特徴とする請求項１又は請求項２記載の遊技機。
【請求項４】
前記解除手段が、
前記保持手段の保持状態を電磁気的動作で解除するアクチュエータと、
前記主電源からの電力供給状態を監視して、前記主電源の電力供給が完全に遮断される前の予め定めた立ち下がり時期を検知する検知手段とを備え、
前記検知手段で前記立ち上がり時期を検知した場合に、残りの立ち下がり時間で前記アクチュエータに通電することを特徴とする請求項３記載の遊技機。
【発明の詳細な説明】
【技術分野】
【０００１】
本発明は、非常灯を備えた遊技機に関するものである。
【背景技術】
【０００２】
従来、遊技施設においては、例えば、建築基準法、消防法等に則り、誘導灯や非常灯等の非常用照明装置の設置が義務付けられている。このため、遊技施設の壁面、天井、床面近傍には、非常用照明装置が設けられており、当該非常用照明装置の作動によって、災害等の非常時には、遊技者等を安全に避難経路へ案内することができる。
【０００３】
特許文献１には、遊技機が並んで設置されている島において、遊技機の下方の腰板に非常用の照明部を設け、点灯時の光軸が床面に向けられていることが記載されている。この特許文献１において、照明部を点灯させるための電気回路は、停電検知リレーを備えており、商用電源が停電になると、停電検知リレーのコイルの通電によって、リレースイッチの接点を切り替え、予め設けられた蓄電部からの電力で照明部を点灯させる構成となっている。
【０００４】
この特許文献１によれば、停電時に照明部によって足下を照らすことで、停電時における遊技場の避難経路の照度が高まり、迅速かつ安全な避難経路を確保することができる、と記載されている。
【先行技術文献】
【特許文献】
【０００５】
【特許文献１】特開２０１２−１１０５４８号公報
【発明の概要】
【発明が解決しようとする課題】
【０００６】
しかしながら、特許文献１を含み、従来の非常用照明装置は、遊技場の施設として固定的に配置されており、携帯性が考慮されていない。例えば、既存の携帯可能な非常用の照明装置として、通常時は点灯せずコンセントに差し込まれて充電がなされ、停電になると点灯してコンセントから外しても点灯が継続する非常用懐中電灯があるが、遊技者の数、すなわち、遊技機の数だけ懐中電灯をコンセントに差し込んでおくことは非現実的である。結果として、遊技場において、携帯性を備えかつ非常用照明装置として機能させるような設備構成は確立されていない。
【０００７】
本発明は上記事実を考慮し、通常時は演出用として利用され、かつ緊急時は非常用として利用される着脱可能な照明装置を備え、当該照明装置を非常時の設備構成部品として機能させることができる遊技機を得ることが目的である。
【課題を解決するための手段】
【０００８】
本発明は、遊技球の流動状態に応じて遊技が進行する遊技盤と、前記遊技盤が装着可能であり、少なくとも装着された前記遊技盤と対峙する面に透明部材が設けられ前記遊技盤上の遊技球流動空間を隔離する枠体と、前記枠体に着脱可能に取り付けられ、外部電源である主電源から電力供給が遮断されたときに電力供給源となる副電源、及び前記主電源又は前記副電源から選択的に電力供給を受けて点灯制御される光源部を備えた着脱電飾装置と、を有している。
【０００９】
本発明によれば、着脱電飾装置は、枠体に着脱可能に取り付けられている。当該着脱電飾装置は、主電源から電力供給を受けて点灯する。また、着脱電飾装置は、電力供給源となる副電源を備えており、前記主電源から電力供給が遮断されたとき、前記副電源からの電力で点灯制御される。
【００１０】
このため、枠体から着脱電飾装置を取り外して携帯しても、主電源から電力供給が遮断されたときに副電源が電力供給源となるので、着脱電飾装置の点灯が継続され、停電時等の、所謂非常灯として適用することができる。
【００１１】
本発明において、前記枠体に固定的に取り付けられ、前記主電源からの電力供給によって、少なくとも前記遊技盤上での遊技球の流動状態に応じて発生する特定の遊技状態のときに点灯制御される固定電飾装置をさらに有し、前記主電源からの電力供給中は、前記着脱電飾装置が、前記固定電飾装置と連動して点灯制御されることを特徴としている。
【００１２】
固定電飾装置は、枠体に固定的に取り付けられている。固定電飾装置は、少なくとも遊技盤上での遊技球の流動状態に応じて発生する特定の遊技状態のときに点灯制御される。
【００１３】
ここで、主電源からの電力供給中は、着脱電飾装置が、固定電飾装置と連動して点灯制御される。言い換えれば、着脱電飾装置は、固定電飾装置の一部として一体化しておけば、主電源が供給されている通常状態で、違和感なく電飾装置として点灯制御させることができる。
【００１４】
また、本発明において、前記着脱電飾装置を収容する収容部をさらに有し、前記収容部が、当該収容部に収容された着脱装飾装置を付勢力で押し出すための付勢手段と、前記付勢手段の付勢力に抗して前記着脱装飾装置を前記収容部に収容した状態で保持する保持手段と、前記主電源からの電力供給が遮断されたときに、前記保持手段による保持状態を解除する解除手段と、を備えることを特徴としている。
【００１５】
主電源が供給されているときは、着脱電飾装置は、付勢手段の付勢力に抗して収容部に収容され、かつ保持手段により収容状態が保持される。
【００１６】
一方、主電源の供給が遮断サレルト、解除手段が保持手段による保持を解除するため、着脱装飾部材は、付勢手段の付勢力で収容部から突出する。この状態で点灯することで、遊技者等は着脱電飾部材を枠体から取り外すことができる。
【００１７】
さらに、本発明において、前記解除手段が、前記保持手段の保持状態を電磁気的動作で解除するアクチュエータと、前記主電源からの電力供給状態を監視して、前記主電源の電力供給が完全に遮断される前の予め定めた立ち下がり時期を検知する検知手段とを備え、前記検知手段で前記立ち上がり時期を検知した場合に、残りの立ち下がり時間で前記アクチュエータに通電することを特徴としている。
【００１８】
主電源からの電力供給が遮断されるとき、電圧は徐々に低下するため、所謂立ち下がり時間が存在する。検知手段は、主電源の電力供給が完全に遮断される前の予め定めた立ち下がり時期を検知する。検知手段で立ち上がり時期を検知した場合に、残りの立ち下がり時間でアクチュエータに通電する。これにより、保持手段をアクチュエータの電磁気的動作で解除することができる。
【発明の効果】
【００１９】
以上説明した如く本発明では、通常時は演出用として利用され、かつ緊急時は非常用として利用される着脱可能な照明装置を備え、当該照明装置を非常時の設備構成部品として機能させることができるという優れた効果を有する。
【図面の簡単な説明】
【００２０】
【図１】本実施の形態に係る遊技場のフロア空間を示す斜視図である。
【図２】図１の遊技場に設置されたパチンコ機の斜視図である。
【図３】本実施の形態に係るパチンコ機に取り付けられた遊技盤の正面図である。
【図４】本実施の形態に係るパチンコ機の動作を制御する制御系を示すブロック図である。
【図５】本実施の形態に係るパチンコ機における非常灯の着脱状態を示す斜視図である。
【図６】本実施の形態に係る非常灯の着脱の過程を示す側面図である。
【図７】本実施の形態に係る非常灯の点灯制御を行うための制御ブロック図である。
【図８】本実施の形態に係る演出制御部で実行される制御フローチャートであり、（Ａ）は電飾部材の点灯制御ルーチン、（Ｂ）は停電監視制御ルーチンを示す。
【図９】本実施の形態に係る点灯制御のための制御ブロックを実現する一実施例を示す電気回路図である。
【発明を実施するための形態】
【００２１】
（遊技場の構成）
図１には、パチンコ機１０を主体とした遊技場Ｈの斜視図が示されている。遊技場Ｈのフロアには、複数の島Ｓが形成されている。島Ｓには、パチンコ機１０で仕様する遊技球ＰＢ(図３参照）を供給及び／又は回収するために球配管路が形成されると共に、図示しないホールコンピュータとの間で通信可能な端末装置等が装備されている。
【００２２】
島Ｓの外壁の表裏面には、複数台のパチンコ機１０が横方向に配列されている。フロアには、各パチンコ機１０に対峙するように複数の椅子１１が据え付けられ、遊技者は椅子に着座した状態で遊技を楽しむことができる。
【００２３】
島Ｓと島Ｓとの間は、遊技者が移動する通路として利用され、通常は、遊技場Ｈの天井等からの照明によって明るく照らされおり、通常時においては、遊技者の移動に支障はない。
【００２４】
一方、遊技場Ｈでは、停電等の非常時に備え、遊技場Ｈの天井、床、及び壁面、並びに島Ｓの両端部等、適宜、非常灯を設置しており、例えば、停電等によって商用電力の供給が断たれた場合も、蓄電された電力で非常灯を点灯させ、必要最小限の領域（例えば、前記島Ｓと島Ｓとの間の通路を含む）を照明し、安全かつ迅速な避難のための、固定配置された誘導灯として機能する。
【００２５】
これに対して、本実施の形態のパチンコ機１０は、非常時に取り外して携帯することが可能な非常照明灯（図２、図５に示す、着脱電飾装置５２）を具備している。
【００２６】
以下、パチンコ機１０の構成について詳細に説明する。
【００２７】
（パチンコ機の構成）
図２に示される如く、パチンコ機１０の前面下部には、化粧パネルとなる下飾り１２が取り付けられている。
【００２８】
また、パチンコ機１０の下飾り１２の上部には、ガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２９】
ガラス枠１６の上部角部には、スピーカ６０Ｌ、６０Ｒが内蔵され、照明と同時に、音声を出力する。
【００３０】
また、ガラス枠１６における左右の側部には、電飾装置としての固定電飾装置５１が取り付けられている。固定電飾装置５１は、図示しないベース部に対して、立体的に突出したレンズカバーが取り付けられた構造となっている。
【００３１】
固定電飾装置５１のベース部には、電気配線基板が設けられ、当該電気配線基板には、電気部品としての光源（図４に示す光源１３７の一部）が取り付けられている。
【００３２】
このため、レンズカバーに閉塞された空間内で光源が点灯すると、レンズカバーによる光の屈折等により、遊技者に対して光の演出が実行されるようになっている。
【００３３】
一方、ガラス枠１６における上部、すなわち、前記スピーカ６０Ｌとスピーカ６０Ｒとの間には、電飾装置としての着脱電飾装置５２が取り付けられている。着脱電飾装置５２については、別途詳述する。
【００３４】
ガラス枠１６の下部には、皿ユニット２４が配置されている。皿ユニット２４の図１の右端部には、鍵穴２７が設けられている。
【００３５】
皿ユニット２４には、上皿部２８が設けられている。上皿部２８には、球抜きボタン３６Ａが設けられ、この球抜きボタン３６Ａを操作することで、上皿部２８に貯留された遊技球を下皿部２９へ案内することができるようになっている。また、上皿部２８の図２の右端部には、球貸ボタン４２と、返却ボタン４４が設けられている。
【００３６】
下皿部２９には、球抜きボタン３６Ｂが設けられ、この球抜きボタン３６Ｂを操作することで、下皿部２９に貯留された遊技球を外部（例えば、所謂「ドル箱」）へ排出することができるようになっている。
【００３７】
皿ユニット２４の図２の右側下部には打球の発射力（飛距離）を調整するためのグリップユニット２６（「（発射ハンドル２６」という場合がある）」が取り付けられている。
【００３８】
また、皿ユニット２４における上皿部２８には、遊技者が押圧操作又は回転操作可能な操作部５０が設けられている。この操作部５０は、遊技中において、操作有効期間中に操作することで、演出画像に対して介入することができるようになっており、それぞれの遊技仕様によって設定される。
【００３９】
（着脱電飾装置５２の構成）
着脱電飾装置５２は、１つの機能として、前記固定電飾装置５１と同等の機能を有する。
【００４０】
すなわち、着脱電飾装置５２は、図５に示される如く、ベース部５２Ａに対して、立体的に突出したレンズカバー５２Ｂが取り付けられた構造となっている。
【００４１】
着脱電飾装置５２のベース５２Ａには、電気配線基板が設けられ、当該電気配線基板には、電気部品としての光源（図４に示す光源１３７の一部）が取り付けられている。
【００４２】
このため、レンズカバー５２Ｂに閉塞された空間内で光源が点灯すると、レンズカバー５２Ｂによる光の屈折等により、遊技者に対して光の演出が実行されるようになっている。
【００４３】
ここで、着脱電飾装置５２は、他の１つの機能として、携帯可能な非常用照明灯としての機能を有する。このため、着脱電飾装置５２は、パチンコ機１０から取り外されても電力供給を継続するための蓄電部５４（図７参照）を備えている、
スピーカ６０Ｌ、６０Ｒのそれぞれの近傍には、一対の保持ブラケット５６Ｌ、５６Ｒが設けられている。一対の保持ブラケット５６Ｌ、５６Ｒの間は、着脱電飾装置５２を収容する収容部６２（図５参照）とされ、前記着脱電飾装置５２が収容可能となっている。
【００４４】
図２は、着脱電飾装置５２が一対の保持ブラケット５６Ｌ、５６Ｒに保持されている状態であり、当該保持状態から、着脱電飾装置５２をパチンコ器１０の手前側に引き出すことで、一対の保持ブラケット５６Ｌ、５６Ｒから離脱させることができるようになっている（図５の実線参照）。
【００４５】
図５に示される如く、一対の保持ブラケット５６Ｌ、５６Ｒは、パチンコ機１０の手前から奥側にかけて矩形状に突起した案内部５８が形成されており、当該案内部５８に対応するように、着脱電飾装置５２の側面には、矩形状の溝部５２Ｃが形成されている。
【００４６】
この溝部５２Ｃが前記案内部５８に案内されることで、着脱電飾装置５２は、スライドしながら、着脱されるようになっている。
【００４７】
図６に示される如く、前記収容部６２の凹陥方向の底部（図６では縦壁面となる）には、円溝６２Ａが形成され、圧縮コイルばね６４が配設されている。圧縮コイルばね６４の先端には、押圧板６６が取り付けられており、着脱電飾装置５２は、圧縮コイルばね６４の付勢力に抗して前記押圧板６６を押圧した状態で収容部６２に収容されるようになっている。
【００４８】
一方、収容部６２の天井部には、矩形孔６２Ｂが設けられており、爪部材６８の先端の爪６８Ａが収容部６２の空間に突出可能となっている。爪部材６８は、長棒状でその中間部が回転軸７０に支持され、後端部がソレノイド７２のアクチュエータ７２Ａに取り付けられている。
【００４９】
ソレノイド７２は、通常は非通電とされ、アクチュエータ７２Ａに取り付けられた図示しないばね部材の付勢力によって爪部材６８を、前記爪６８Ａが収容部６２に突出するように回転させて保持している。
【００５０】
一方、着脱電飾装置５２の上面には、矩形に開口された溝部５２Ｄが形成されており、前記爪６８Ａが突出されている状態で、溝部５２Ｄに係止されることになる（図６（Ａ）参照）。
【００５１】
このため、前記着脱電飾装置５２は、圧縮コイルばね６４の付勢力に抗して、収容状態が保持される。この収容状態で、パチンコ機１０側と着脱電飾装置５２側とが電気的に接続状態となる（一例として、図７参照）。
【００５２】
ここで、ソレノイド７２は、図示しない停電検知部により停電の発生を予測した時点で、一時的（例えば、０．５〜１．０秒程度）通電されるようになっている。
【００５３】
停電が発生すると、電力は瞬時に０になるのではなく、徐々に数値が低下していく所謂立ち下がり時間を持っているため、この立ち下がり時間の電力（電圧）を利用してソレノイド７２を一時的に通電する。
【００５４】
このソレノイド７２の一時的な通電により、爪部材６８は、当該一時的に回転軸７０を中心として図６（Ｂ）中、時計方向に回転し、爪６８Ａが収容部６２から退避する。
【００５５】
この退避動作によって、爪６８Ａが着脱電飾装置５２から一時的に抜け出るため、係止状態が解除され、着脱電飾装置５２は、圧縮コイルばね６４の付勢力で、押圧板６６によって押し出されるようになっている。
【００５６】
爪部材６８の退避動作（ソレノイド７２の通電）は一時的であり、一旦爪６８Ａが収容部６２から退避された後、爪６８Ａは、再度収容部６２に突出するようになっている（図６（Ｃ）参照）。従って、上述したからから突出状態からベース５２Ａを押圧板６６に当接させ、圧縮コイルバネ６４の付勢に抗して収容部６２に着脱電飾装置５２を押し込むと、ベース５２Ａの上端部位と爪６８Ａの傾斜面との摺動によって爪６８Ａが押し上げられたのち、ベース５２Ａの上端部位頂部を乗り越え、爪６８Ａが溝部５２Ｄに係止されることにより、着脱電飾装置５２が再度、着脱電飾装置５２に収容される。
【００５７】
なお、押し出し量にもよるが、押し出したときに、着脱電飾装置５２が落下しないような仮の抜け止め機構（滑り止め等）を設けるようにしてもよい。
【００５８】
また、爪６８Ａはパチンコ機１０の正面側が傾斜面となっており、取り外した着脱電飾装置５２を収容部６２へ収容する動作に伴い、爪６８が回転軸７０を中心に回転して爪６８Ａを収容部６２から退避させることができるようになっている。
【００５９】
（遊技盤の構成）
図３に、本実施の形態に適用可能な遊技盤１８の構成を示す。なお、この遊技盤１８の構成は、遊技状態に応じて、前記固定電飾装置５１及び着脱電飾装置５２の光源（図４に示す光源１３７の一部）の点灯状態を制御する遊技仕様の下で適用される一例であり、本発明は、当該遊技盤１８の構成に限定されるものではない。
【００６０】
図３に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置１６５（図４参照）から発射されて打ち込まれた遊技球ＰＢが自重落下により移動可能とされ、この領域が遊技を行う遊技領域とされている。
【００６１】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置１０５Ａ、１０５Ｂと、各種演出等の映像を表示する表示部１０６を備えている。可動役物装置１０５Ａ、１０５Ｂは、詳細な説明は省略するが、後述する特別図柄抽選の結果に基づいて、遊技者に当選の期待感を持たせるための動作として、表示部１０６の前面にせり出したり、表示部１０６の表示面を広狭したり等の動作演出が実行されるようになっている。一方、表示部１０６は、ＬＣＤ表示、ＬＥＤ表示等が適用可能であるが、特に表示形態に限定されるものではない。
【００６２】
表示部１０６では、例えば、特別図柄抽選の結果を報知するための図柄変動パターン演出が実行される。一例としては、３列の図柄列を個別に変動させ、その内の２列の図柄列が変動を停止したときの図柄が同一図柄となった場合を「リーチ」として遊技者に期待感を持たせる演出を実行し、最終列が停止して、既に停止している２列の図柄と同一図柄となった場合は当選、異なる図柄となった場合は落選を報知する。
【００６３】
センター役物１０５の下辺部には、ステージ１０５Ｓが形成されている。ステージ１０５Ｓには、釘１９等で跳ね返ることで受け入れた遊技球ＰＢ、或いは図示しないワープ路に案内されて受け入れた遊技球ＰＢが送り込まれるようになっている。
【００６４】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００６５】
図３に示される如く、センター役物１０５の下部には、特別図柄始動入賞口（Ａ）１３０が配置されている。特別図柄始動入賞口（Ａ）１３０は常時入賞可能に上部が開口している。
【００６６】
また、遊技盤１８の遊技領域の最下位置には、外れ球を遊技盤１８の裏側へ排出するアウト口１２４が設けられている。
【００６７】
一方、図３に示される如く、センター役物１０５の図３に向かって右側には、普通図柄抽選の始動機能を持つ通過ゲート１１８が配置されている。
【００６８】
この通過ゲート１１８の下方には、特別図柄始動入賞口（Ｂ）１３４が配置されている。特別図柄始動入賞口（Ｂ）１３４の上部開口は、釘１９によって通常は閉塞されている。
【００６９】
この特別図柄始動入賞口（Ｂ）１３４には、電動チューリップ１３６が取り付けられている。電動チューリップ１３６は、遊技盤１８の裏面側に配設された電チューソレノイド１３８（図４参照）の通電・非通電によって開閉する構成となっている。
【００７０】
電動チューリップ１３６は、前記普通図柄抽選に当選したときに開放するようになっている。電動チューリップ１３６が開放状態になると、特別図柄始動入賞口（Ｂ）１３４の入賞開口部への遊技球ＰＢの受け入れが可能となり、遊技球ＰＢの入賞が可能となる。
【００７１】
前記特別図柄始動入賞口（Ｂ）１３４のさらに下部には、遊技領域の下端部付近に位置して特別図柄抽選の大当たり専用のアタッカー１１２が配置されている。
【００７２】
アタッカー１１２には、開閉扉１１６が設けられている。この開閉扉１１６が、アタッカーソレノイド１４８（図４参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００７３】
ここで、特別図柄始動入賞口（Ａ）１３０又は特別図柄始動入賞口（Ｂ）１３４に遊技球ＰＢが入賞すると、特別図柄抽選が実行される。
【００７４】
この特別図柄抽選において「大当たり」に当選すると、前記アタッカー１１２の開閉扉１１６が所定のパターンで開閉動作し、これを所定回数（所定ラウンド）繰り返すようになっている。このように明らかに遊技者に有利な遊技の状態を、「特別遊技」「大役処理」等と言い、通常遊技の状態と区別する。
【００７５】
なお、前記特別図柄抽選の抽選結果である当選（「大当たり」）は、主として表示部１０６の図柄変動表示演出において報知され、この図柄変動表示演出中、或いは、前記大役処理中の場合は、抽選結果の報知を待機（保留・記憶）し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。
【００７６】
ここで、通常遊技の状態では、遊技者は、グリップユニット２６を回転操作して、センター役物１０５に向かって左側を狙って打つ発射強度に調整する（所謂「左打ち状態」）。一方、特別遊技の状態では、遊技者は、グリップユニット２６を回転操作して、前記アタッカー１１２に向けて、センター役物１０５に向かって図３における右側を狙って打つ発射強度（所謂「右打ち状態」）に調整する。また、特定の遊技状態（例えば、特別遊技（大役処理）後の一定期間の通常遊技の「右打ち状態」）とする場合もある。
【００７７】
特定の遊技状態で通過ゲート１１８を遊技球ＰＢが通過すると、普通図柄抽選が実行され、当該普通図柄抽選に当選すると、前記電動チューリップ１３６を開放する。前記特定の遊技状態では、電動チューリップの開放期間が長いため、特定の遊技状態以外の遊技状態に比べて、特別図柄始動入賞口（Ｂ）１３４に入賞する確率は増えることになる。
【００７８】
本実施の形態では、特定の遊技状態を「電動チューリップ１３６のサポート付の時短遊技状態」（「電サポ付時短」「電サポ付時短中」等と言う場合がある）とし、非電サポ付時短中のベース値が約２０であるのに対し、この電サポ付時短中のベース値が約１００となるように設定される。なお、ベース値とは、発射球数に対する賞球払出数の割合であり、例えば、１００球の遊技球ＰＢが発射されて２０球の賞球払出があるときをベース「２０」といい、１００球の賞球払出があるときをベース「１００」という。なお、各ベース値を「約」としたのは、当該数値が理論上の数値であり、実際の遊技において、理論上の数値に対して誤差が生じるためである。長い遊技期間の平均値においては、それぞれで設定したベース値に収束する。
【００７９】
また、遊技盤１８には、センター役物１０５よりも下、かつ特別図柄始動入賞口（Ａ）１３０の左側（遊技盤１８の左下）には、複数の一般入賞口１２０（本実施の形態では、２個の一般入賞口１２０Ａ、１２０Ｂとする。）が設けられた役物装置１０７が配置されている。一般入賞口１２０は、２個に限られるものではなく、例えば、基本的なベースや入賞率等の設計上の演算によってその数を決めればよい。
【００８０】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留（遊技球の始動入賞に対する記憶）が可能となっている。なお、この保留球数は限定されるものではない。
【００８１】
保留球数は、主として特別図柄表示部を備えた遊技進行ガイドランプユニット１０９（図３に示すセンター役物１０５を正面視したときの右下に配置）の一部である特別図柄記憶表示部によって報知される。
【００８２】
（制御系の構成）
次に、図４を用いてパチンコ機１０の制御系について説明する。
【００８３】
本実施形態に係るパチンコ機１０の制御系は、図４に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００８４】
主制御部１５０からは盤用外部端子１９０を介してホールコンピュータ（図示省略）へ遊技の進行状態を示す情報（始動入賞信号や大当たり信号、図柄確定回数信号等）が送信される。
【００８５】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、「大当たり」の際に開放するアタッカー１１２への入賞球を検出するアタッカーセンサ１１２Ｓ、一般入賞口１２０Ａ、１２０Ｂへの入賞球を検出する一般入賞センサ１２０ＡＳ、１２０ＢＳが接続されている。
【００８６】
また、主制御部１５０には、出力系として、遊技情報や遊技状態をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００８７】
演出制御部１５２には、入力系として、前記操作ボタン５０が接続されている。また、演出制御部１５２には、出力系として、パチンコ機１０の各種遊技部品に設けられた照明演出用の光源１３７（前記固定電飾装置５１、着脱電飾装置５２の光源を含む）、スピーカ６０Ｌ、６０Ｒが接続されている。
【００８８】
さらに、演出制御部１５２には、図柄制御部１５６を介して表示部１０６が接続されている。
【００８９】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射強度を制御する。
【００９０】
さらに、払出制御部１５４では、枠用外部端子１９１を介して払出情報をホールに設置されたホールコンピュータ（図示省略）へ送信するようになっている。
【００９１】
（着脱電飾装置６２の点灯制御）
図７は、着脱電飾装置５２を主体とした、演出制御部１５２（図４参照）による点灯制御系統、並びに電力供給制御系統を示すブロック図である。なお、図７においては、点灯制御系統の信号線を実線で示し、電力供給制御系統の配線を点線で示す。また、信号線、配線を簡易的に１本で示すが、１本に限らず複数本のハーネスによって接続される場合がある。
【００９２】
図７に示される如く、演出制御部１５２には、点灯パターン指示部７４が設けられ、図示しない演出系の制御部から点灯指示パターン情報を受けるようになっている。
【００９３】
点灯パターン指示部７４は、点灯制御部７６に接続されている。点灯制御部７６は、受け付けた点灯パターン情報に基づいて、オン／オフ信号を光源ドライバ７８へ出力する。
【００９４】
光源ドライバ７８には、電力供給制御部８０から電力が供給されるようになっている。電力供給制御部８０は、商用電源８２を入力源とし、電圧を変換（主として降圧）、並びに整流する電源変換部８４から電力の供給を受けるようになっている。
【００９５】
また、光源ドライバ７８には、複数の光源１３７が接続されており、選択的に光源１３７に対してオン／オフ信号を出力し、光源１３７を点灯又は消灯させ、光による演出を実行する。
【００９６】
光源１３７の一部は、前記着脱電飾装置５２に設けられている。この着脱電飾装置５２に設けられた光源１３７は、通常は前記光源ドライバ８０からの電力供給制御（オン／オフ制御）で点灯又は消灯する。この点灯又は消灯は、前述した遊技盤１８での遊技の状態に応じた演出に基づき実行される。
【００９７】
ここで、着脱電飾装置５２は、蓄電部５４を備えている。蓄電部５４は、前記電力制御部８０に接続されている。
【００９８】
すなわち、電力供給制御部８０は、前記光源ドライバ７８へ電力を供給する役目に加え、蓄電部５４へ電力を充電する役目を兼ねている。このため、蓄電部５４は、着脱電飾装置５２が取り外されるときは、常にフル充電に近い状態に維持されている。
【００９９】
前記商用電源８２は、停電検知部８８によって電力供給状態が監視されている。停電検知部８８は、電源切替指示部９０に接続されている。停電検知部８８では、停電を検知すると、当該停電検知情報を電源切替指示部９０に送出する。
【０１００】
電源切替指示部９０では、着脱電飾装置５２（の電源回路）に対して、光源１３７の電力源を、電力供給制御部８０（すなわち、商用電源８２）から蓄電部５４へ切り替えるように指示する。当該切り替えには、例えば、コイルに通電されたときに接点が切り替わるリレー回路等が適用可能である。また、着脱電飾装置５２を取り外した後も、蓄電部５４からの電力供給状態を維持するため、電源回路内に自己保持回路等を設けることが好ましい。
【０１０１】
これにより、着脱電飾装置５２は、停電発生時においても、光源１３７を点灯させることが可能となっている。蓄電部５４から電力を受けた光源１３７は、常時点灯され、非常用照明として機能する。
【０１０２】
以下に本実施の形態の作用を説明する。
【０１０３】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１０４】
（本実施の形態に係る遊技仕様）
本実施の形態では、所謂「左打ち」による遊技が基本（通常遊技）となる。すなわち、表示部１０６を境界として、遊技盤１８の左側を通るように遊技球ＰＢの発射強度を調整することで、風車や釘等の障害物に当接しながら、特別図柄始動入賞口（Ａ）１３０へ遊技球を導いていき、入賞すると特別図柄抽選が実行される。
【０１０５】
特別図柄抽選は、表示部１０６にて実行される図柄変動パターン演出によって、遊技者に対し抽選結果の報知が実行される。図柄変動パターン演出は、主制御部１５０からの指示信号等に基づき、図柄変動パターン選択テーブルから図柄変動パターン種が選択されて実行される。
【０１０６】
特別図柄抽選に当選すると、アタッカー１１２の開閉扉１１６が、所定時間、所定回数開放して、遊技球の入賞を通常遊技状態よりも飛躍的に高める大役処理が実行される。
【０１０７】
大役処理は、上記通常遊技とは別に、所謂「右打ち」による遊技となる。
【０１０８】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【０１０９】
次に、大役処理が終了すると、前記左打ちに戻る場合と、右打ちを継続する場合とがある。右打ちが継続された場合、特別図柄始動入賞口（Ｂ）１３４へ遊技球を導いていく。このとき、時短状態となっており、遊技球ＰＢが通過ゲート１１８を通過すると普通図柄抽選が時短状態で実行され、当選（例えば、当選確率１／１．１）となれば電動チューリップ１３６が頻繁に開放され、特別図柄始動入賞口（Ｂ）１３４への入賞が可能となる（特定期間の通常遊技）。遊技球ＰＢがこの特別図柄始動入賞口（Ｂ）１３４に入賞すると、特別図柄始動入賞口（Ａ）１３０と同様に特別図柄抽選が実行される。
【０１１０】
ここで、上記遊技仕様を実行するプログラムは、主制御部１５０の記憶部（例えば、ＲＯＭ）に記憶され、当該プログラムが実行される。
【０１１１】
さらに、演出制御部１５２では、図柄制御部１５６を介して表示部１０６の表示制御を含み、聴覚や視覚を通じた演出が実行され、払出制御部１５４では遊技球ＰＢの払い出し制御が実行される。
【０１１２】
ここで、演出制御部１５２では、前記表示部１０６にて実行される図柄変動パターン演出に加え、遊技の進行上の様々な遊技状態等に同期するように、固定電飾装置５１及び着脱電飾装置５２の発光光源としても適用されている光源１３７の点灯制御を行い、視覚による演出効果を高めている。
【０１１３】
この光源１３７を用いた、点灯制御部による演出の流れを図８（Ａ）のフローチャートで示す。すなわち、図８（Ａ）に示される如く、主制御部１５０による遊技実行制御に基づき、点灯パターンの指示があると（ステップ２００の肯定判定）、ステップ２０２へ移行して点灯制御する光源１３７を選択し、次いで、ステップ２０４へ移行して、選択した光源１３７毎のオン・オフ信号を生成する。ステップ２００で否定判定された場合は、このルーチンは終了する。
【０１１４】
次のステップ２０６では、オン・オフ信号に基づいて、各光源１３７へ電力供給制御を行う。
【０１１５】
ここで、商用電源８２からの電力供給が遮断されるような非常事態が発生すると、光源部１３７の電力供給はもちろん、パチンコ機１０全体の機能が停止する。さらには、遊技場Ｈの室内照明等を消灯し、基本的には、遊技場Ｈの壁面等に取り付けられた避難誘導灯による、通常に比べて極めて暗い状態の照明となる。
【０１１６】
そこで、本実施の形態では、パチンコ機１０に固定電飾装置５１に加え、着脱電飾装置５２を取り付けると共に、当該着脱電飾装置５２には、蓄電部５４を具備することで、前記商用電源８２からの電力供給が遮断された時点で、電源を商用電源８２から蓄電部５４に切り替え、着脱電飾装置５２に取り付けられた光源１３７を点灯させるようにした。
【０１１７】
また、停電発生直後から完全停電となるまでの立ち下がり時間を利用して、ソレノイド７２を通電することで、一時的に爪部材６８による着脱電飾装置５２のロック状態を解除することで、着脱電飾装置５２をパチンコ機１０から突出させ、遊技者等に着脱電飾装置５２の携帯を促すようにした。
【０１１８】
（電源切替制御）
図８（Ｂ）のフローチャートに基づき、停電発生時の電源切替制御の流れを説明する。
【０１１９】
図８（Ｂ）に示される如く、ステップ２１０では、停電検知部８８により停電を検知したか否かが判断される。この停電検知部８８では、停電によって低下する電圧の立ち下がりにおいて、通常時の電圧よりも低く、かつ所定の電圧以上の範囲で、停電発生（予測）を検知する。
【０１２０】
すなわち、停電が発生すると、電力は瞬時に０になるのではなく、徐々に数値が低下していく、所謂立ち下がり時間を持っている。
（設定条件１）  ソレノイド７２の通電によるアクチュエータ７２Ａの動作に支障の無い電圧
（設定条件２）  電源切替指示部９０による電源切替動作に支障のない電圧
ステップ２１０で肯定判定、すなわち停電を検知すると、ステップ２１２へ移行して、ソレノイド７２を通電する。これにより、アクチュエータ７２は引き込み動作して、着脱電飾装置５２のロック状態が解除され、パチンコ機１０から突出する。この着脱電飾装置５２の突出動作については、後述する。また、ステップ２１０で否定判定された場合は、このルーチンは終了する。
【０１２１】
次のステップ２１２では、着脱電飾装置５２に対して電源切替指示を行う。着脱電飾装置５２では、当該電源切替指示を受け付けると、ステップ２１６へ移行して、電源を商用電源８２カラ蓄電部５４に切り替える。
【０１２２】
これにより、着脱電飾装置５２に取り付けられた光源１３７は、蓄電部５４からの電力を受けて点灯（常時点灯）が継続される。なお、演出の際に消灯制御であった場合でも、蓄電部５４への切り替えによって点灯される。
【０１２３】
（着脱電飾装置５２のロック解除動作）
図６に基づき、着脱電飾装置５２のロック解除動作の流れを説明する。
【０１２４】
図８（Ｂ）のステップ２１２でソレノイド７２への通電が実行される前は、図６（Ａ）に示される如く、アクチュエータ７２Ａが伸び出した状態であるので、爪部材６８が回転軸７０を中心に反時計回り方向に回転しており、爪６８Ａが収容部６２に突出された保持される。このため、爪６８Ａは、着脱電飾装置５２の溝部５２Ｄに収容されて係止される。Ｋの状態では、着脱電飾装置５２は、圧縮コイルばね６４の付勢力に抗して、収容状態が保持される。
【０１２５】
ここで、図８（Ｂ）のステップ２１２でソレノイド７２への通電が実行されるが、この通電は、一時的（例えば、０．５〜１．０秒程度）なものである。
【０１２６】
この通電によって、図６（Ｂ）に示される如く、爪部材６８は、一時的に回転軸７０を中心に時計方向周りに回転し、爪６８Ａが収容部６２から退避する。
【０１２７】
図６（Ｃ）に示される如く、爪６８Ａが着脱電飾装置５２から退避すると、係止状態が解除され、着脱電飾装置５２は、圧縮コイルばね６４の付勢力で、押圧板６６によって押し出される。これにより、遊技者等は、着脱電飾装置５２を把持してパチンコ機１０から取り外し、避難通路に従って避難する際の非常灯として利用することできる。
【０１２８】
なお、本実施の形態では、着脱電飾装置５２の収容部６２からの取り外しを、停電発生から電力が０になるまでの立ち下がり時間中の電圧デソレノイド７２を通電し、爪部材６８を動作させるようにしたが、通常状態に常時通電しておき、停電（非通電）で爪部材６８の爪６８Ａによる係止を解除するようにしてもよい。
【０１２９】
また、手動により取り外すようにしてもよい。例えば、鍵穴２７（図３参照）等に鍵を差し込み、通常の開閉のための操作とは異なる操作を行うことで、機械的に着脱電飾装置５２の収容部６２でのロック状態を解除させてもよい。
【０１３０】
以上説明した如く、本実施の形態では、通常は固定電飾装置５１と共に電飾部材として取り付けられている着脱電飾装置５２を、停電発生の際に、商用電源８２からの電力が遮断された後でも蓄電部５４からの電力で電源部１３７の点灯を継続させ、かつ、パチンコ機１０から突出させることで、遊技者等の注意を引くことで、遊技者等が避難するときに、着脱電飾装置５２をパチンコ機１０から取り外し、所謂懐中電灯のように携帯することができ、避難経路の照明として利用することができる。
【０１３１】
また、通常時に邪魔になることがないので、遊技店Ｈにおいて、設置スペースの確保を強いることがない。また、着脱電飾装置５２は、避難通路に突出することがないので、避難時の障害物になるようなこともない。
【０１３２】
（実施例）
以下、図９に、着脱電飾装置５２における電力切替制御の電気回路の実施例を示す。なお、図９の電気回路は、図７に示す電力切替制御を実現するための一例であり、この電気回路に限定されるものではない。
【０１３３】
図９に示される如く、電気回路は、本体側（演出制御部１５２）と装飾部側（着脱電飾装置５２）に分かれている。
【０１３４】
本体側は、商用電源８２を備えている。商用電源８２の両端子は変圧器２２０の一次側端子にそれぞれ接続されている。変圧器２２０の二次側端子は、整流器２２２の入力端子に接続されている。さらに、整流器２２２の出力端子は、着脱可能なコネクタ２２４を介して、着脱電飾装置５２の配線２２６、２２８にそれぞれ接続されている。
【０１３５】
なお、一方の配線２２６と接続されるコネクタ２２４と整流器２２２との間には、オン・オフ信号に基づき動作するスイッチ素子２３０が介在されている。
【０１３６】
前記商用電源８２の両端子間には、停電検知部８８としての停電検知リレー２３２の一次側コイル２３２Ａが接続されている。この停電検知リレー２３２の二次側スイッチ２３２Ｂは、着脱電飾装置５２側に設けられている。
【０１３７】
着脱電飾装置５２は、一方の配線２２６がノーマリークローズのスイッチ２３４を介して光源１３７としてのＬＥＤ１３７Ｄのアノード側に接続されている。ＬＥＤ１３７Ｄのカソード側は、他方の配線に接続されている。なお、スイッチ２３４は、遊技者等が着脱電飾装置材５２を携帯したときの点灯・消灯を操作するスイッチとして機能する。
【０１３８】
図９の回路では、スイッチ２３４が一旦オフすると再点灯ができないため、持ち帰っても利用価値がない構成としている。これにより、例えば、避難経路を通過して、明るい場所に到着したときの回収率を高めることができる。なお、スイッチ２３４は、タイマによって自動的にオフになるようにしてもよい。また、再点灯可能な回路構成としてもよい。
【０１３９】
一方の配線２２６は、可変抵抗２３６の一端に接続されている。可変抵抗２３６の他端は自己保持用レレー２３８の一次側コイル２３８Ａの一端に接続されている。自己保持用リレー２３８の一次側コイル２３８Ａの他端は、蓄電部５４としての電池パック２４０のプラス側端子に接続されている。電池パック２４０のマイナス側端子は他方の配線２２８に接続されている。
【０１４０】
なお、電池パック２４０は、例えば、NiMH電池（ニッケル水素電池）パックが適用可能である。
【０１４１】
また、一方の配線２２６は、停電検知リレー２３２の二次側スイッチ２３２Ｂの一端が接続され、停電検知リレー２３２の二次側スイッチ２３２Ｂの他端は前記可変抵抗２３６と自己保持リレー２３８の一次側コイル２３８Ａとの間に接続されている。
【０１４２】
さらに、一方の配線２２６は、自己保持用リレー２３８の二次側スイッチ２３８Ｂの一端が接続され、自己保持用リレー２３８の二次側スイッチ２３８Ｂの他端は前記可変抵抗２３６と自己保持リレー２３８の一次側コイル２３８Ａとの間に接続されている。
【０１４３】
図９の電気回路における停電時の動作を説明する。
【０１４４】
図９（Ａ）の状態で商用電源８２からの電力が供給されているときは、スイッチ素子２３０のオン・オフによってＬＥＤ１３７Ｄは点灯制御（点灯又は消灯）される。
【０１４５】
なお、このとき、電池パック２４０には、負荷であるＬＥＤ１３７Ｄとは電気的に切り離された状態となるので、小さな電流で自己放電分が充電される。
【０１４６】
次に、停電が発生すると、全ての電圧が低下する直前（立ち下がり時間中）を停電検知リレー２３２が検知し、二次側スイッチ２３２Ｂをオンする。これにより、電池パック２４０を電源とするＬＥＤ１３７Ｄの点灯回路が構築され、商用電源８２の電圧が完全に０になってもＬＥＤ１３７Ｄは点灯を継続する。
【０１４７】
また、このとき、自己保持リレー２３８の一次側コイル２３８Ａに電流が流れるため、自己保持リレー２３８の二次側スイッチ２３８Ｂがオン状態となる。
【０１４８】
次に、前述したロック機構（図６参照）の解除によって、着脱電飾装置５２が突出すると、コネクタ２２４も切り離されるため、停電検知リレー２３２の二次側スイッチ２３２Ｂはオフとなる。しかし、自己保持用リレー２３８の二次側スイッチ２３８Ｂがオン状態を維持するので、着脱電飾装置５２は、コネクタ２２４が切り離された後でも点灯が継続され、携帯することができる。
【０１４９】
なお、上記実施例では、停電検知リレー２３２と自己保持リレー２３８とを併用し、電的に電力の切替制御を行ったが、前記着脱電飾装置５２がロック状態のときは、電気回路の一部に絶縁物が介在するようにし、前記着脱電飾装置５２のロックが解除され突出したときに通電するといった機械的な動作に連動させて点灯制御を行ってもよい。
【符号の説明】
【０１５０】
Ｈ    遊技場
Ｓ    島
ＰＢ    遊技球
１０    パチンコ機
１１    椅子
１６    ガラス枠（枠体）
１８    遊技盤
５１    固定電飾装置
５２    着脱電飾装置
５２Ａ    ベース部
５２Ｂ    レンズカバー
５２Ｃ    溝部
５２Ｄ    溝部
５４    蓄電部
５６Ｌ、５６Ｒ    保持ブラケット
５８    案内部
６２    収容部
６２Ａ    円溝
６２Ｂ    矩形孔
６４    圧縮コイルばね
６８    爪部材（保持手段）
６８Ａ    爪（保持手段）
７０    回転軸
７２    ソレノイド（解除手段）
７２Ａ    アクチュエータ（解除手段）
７４    点灯パターン指示部
７６    点灯制御部
７８    光源ドライバ
８０    電力供給制御部
８２    商用電源
８８    停電検知部（検知手段）
９０    電源切替指示部
１３７    光源
１３７Ｄ    ＬＥＤ（光源部）
１５０    主制御部
１５２    演出制御部
１５４    払出制御部
２２０    変圧器
２２２    整流器
２２４    コネクタ
２２６、２２８    配線
２３０    スイッチ素子
２３２    停電検知リレー
２３２Ａ    一次側コイル
２３２Ｂ    二次側スイッチ
２３４    スイッチ
２３６    可変抵抗
２３８    自己保持用レレー
２３８Ａ    一次側コイル
２４０    電池パック
【図１】
2014124486.tif 000003
【図４】
2014124486.tif 000004
【図６】
2014124486.tif 000005
【図７】
2014124486.tif 000006
【図８】
2014124486.tif 000007
【図９】
2014124486.tif 000008
【図２】
2014124486.tif 000009
【図３】
2014124486.tif 000010
【図５】
2014124486.tif 000011